(57)【要約】【課題】光ファイバ融着接続装置において、Ｖ溝及びその近傍において十分な輝度を得ることが可能な照明用具を備えた光ファイバ融着接続装置を提供する。【解決手段】光ファイバ融着接続装置１は、本体１７とこの本体１７に回動部材１４を介して回動自在取付られた風防１９を具備する。本体１７は、一対の電極台１３、１３に設けられた電極棒１１、１１と、光ファイバを把持する一対の把持部材１２、１２と、光ファイバ２０の端面をつき合わせる一対のＶ溝１５、１５とを有する。Ｖ溝１５近傍及びその周辺を照らす為に、照明用具１６は照明昇降部材１８によって本体１７から鉛直方向に離れた位置に、支持部材によって支持される。【選択図】      図１
2004279929.tif 000002
【特許請求の範囲】
【請求項１】
照明用具を備えた光ファイバ融着接続装置であって、
少なくとも一対の光ファイバ端面同士をつき合わせるＶ溝と、前記光ファイバの突き合わせ端面を融着接続する電極棒が設けられた電極台と、一端に設けられた少なくとも一つの照明用具を前記Ｖ溝及びＶ溝近傍を照らすように支持する支持部材と、前記照明用具の点灯及び消灯を制御する制御手段とを有する本体と、
前記本体に回動自在に取り付けられた風防と、
を具備することを特徴とする照明用具を備えた光ファイバ融着接続装置。
【請求項２】
請求項１記載の照明用具を備えた光ファイバ融着接続装置であって、前記制御手段は前記風防の状態を検知する検知手段を更に有し、前記制御手段は前記検知手段により前記風防が開かれたと検知されたときに前記照明用具を点灯させることを特徴とする照明用具を備えた光ファイバ融着接続装置。
【請求項３】
請求項１記載の照明用具を備えた光ファイバ融着接続装置であって、前記制御手段は前記支持部材の位置を検知する検知手段を更に有し、前記制御手段は前記検知手段により前記支持部材が所定の位置に移動されたと検知された場合に、前記照明用具を点灯させることを特徴とする照明用具を備えた光ファイバ融着接続装置。
【請求項４】
請求項１記載の照明用具を備えた光ファイバ融着接続装置であって、前記制御手段は前記照明用具の点灯及び消灯を制御するスイッチを備え、このスイッチが前記本体と前記風防とが画成する空間に設けられていることを特徴とする照明用具を備えた光ファイバ融着接続装置。
【請求項５】
請求項１記載の照明用具を備えた光ファイバ融着接続装置であって、前記支持部材は概略一直線の棒状であり、前記本体にはこの棒状の支持部材の少なくとも一部を収納する収納部を更に有することを特徴とする照明用具を備えた光ファイバ融着接続装置。
【請求項６】
請求項５記載の照明用具を備えた光ファイバ融着接続装置であって、前記支持部材及び照明用具は前記風防が閉じた状態で前記風防と前記本体とが画成する空間に収納されることを特徴とする照明用具を備えた光ファイバ融着接続装置。
【請求項７】
請求項１記載の照明用具を備えた光ファイバ融着接続装置であって、前記支持部材は概略コ字形状であり、一端が前記本体に対して回動自在に取り付けられていることを特徴とする照明用具を備えた光ファイバ融着接続装置。
【請求項８】
請求項７記載の照明用具を備えた光ファイバ融着接続装置であって、前記コ字状の支持部材は前記風防が閉じられた状態において、前記風防と前記本体とが画成する空間に収納されることを特徴とする照明用具を備えた光ファイバ融着接続装置。
【発明の詳細な説明】
【０００１】
【発明の属する技術分野】
この発明は、照明用具を備えた光ファイバ融着接続装置に関する。
【０００２】
【従来の技術】
光ファイバ融着接続装置は、明るい場所だけではなく夜間または地下等の暗所でも使用されることを想定して設計されている。そこで、多くの光ファイバ融着接続装置には、融着接続点が位置するＶ溝近傍及び、光ファイバを把持する把持部（クランプ等）を照らす照明用具が設けられている（例えば、特許文献１参照）。
【０００３】
例えば特許文献１では、光ファイバ融着接続装置の風防の開閉をセンサで検知し、検知結果に応じて照明用具の点灯、消灯が制御される。また特許文献１に係る光ファイバ融着接続装置では、照明用具を風防の内側に設け、風防を所定の角度で開いた状態にすることで、Ｖ溝近傍が照らされる。
【０００４】
図９は、照明用具を備えた光ファイバ融着接続装置の従来例である。
【０００５】
図９に示す光ファイバ融着接続装置１００は、それぞれ少なくとも一つの電極棒１１０を備えた一対の電極台１３０、１３０と、電極台１３０上に設けられた照明用具１６０と、融着接続される一対の光ファイバ２００が載置されるＶ溝１５０とを有する本体１７０、及びこの本体１７０に回動部材１４０を介して回動自在に取り付けられた風防１９０を具備する。
【０００６】
風防１９０は、回動部材１４０によって本体１７０に対して回動角度１８０度程度まで開くことができる。光ファイバ融着接続装置１００には図示しないセンサが設けられており、風防１９０の開閉を検知する。風防１９０が開かれた状態をセンサが検知し、図示しない制御手段によって照明用具１６０が点灯される。
【０００７】
【特許文献１】
特許第３１６３６０３号公報（第１−４頁、第１図）
【０００８】
【発明が解決しようとする課題】
しかしながら風防内に照明用具を設置した場合、Ｖ溝近傍が適切に照らし出されない為、所望の明るさが得られず強力な照明用具を取り付ける必要があった。
【０００９】
また、電極台の上に照明用具を設けた場合も、電極台とＶ溝が相対的に十分離れていないため、Ｖ溝近傍で十分な明るさを得ることができず、加えてＶ溝近傍に陰が発生する場合もあった。
【００１０】
本発明は、上記のような従来の光ファイバ融着接続装置における問題点を解決するためになされたものであり、照明用具をＶ溝及びその近傍から適切な距離だけ上方に配置させＶ溝及びその近傍を十分に明るくして、暗所等においても支障無く融着接続作業を行える光ファイバ融着接続装置を提供することを目的とする。
【００１１】
【課題を解決するための手段】
上記課題を解決するために請求項１にあっては、照明用具を備えた光ファイバ融着接続装置であって、少なくとも一対の光ファイバ端面同士をつき合わせるＶ溝と、前記光ファイバの突き合わせ端面を融着接続する電極棒が設けられた電極台と、一端に設けられた少なくとも一つの照明用具を前記Ｖ溝及びＶ溝近傍を照らすように支持する支持部材と、前記照明用具の点灯及び消灯を制御する制御手段とを有する本体と、前記本体に回動自在に取り付けられた風防と、を具備することを要旨とする。
【００１２】
また本発明の請求項２は、請求項１記載の照明用具を備えた光ファイバ融着接続装置であって、前記制御手段は前記風防の状態を検知する検知手段を更に有し、前記制御手段は前記検出手段により前記風防が開かれたと検知されたときに前記照明用具を点灯させることを要旨とする。
【００１３】
また本発明の請求項３は、請求項１記載の照明用具を備えた光ファイバ融着接続装置であって、前記制御手段は前記支持部材の位置を検知する検知手段を更に有し、前記制御手段は前記検知手段により前記支持部材が所定の位置に移動されたと検知された場合に、前記照明用具を点灯させることを要旨とする。
【００１４】
また本発明の請求項４は、請求項１記載の照明用具を備えた光ファイバ融着接続装置であって、前記制御手段は前記照明用具の点灯及び消灯を制御するスイッチを備え、このスイッチが前記本体と前記風防とが画成する空間に設けられていることを要旨とする。
【００１５】
また本発明の請求項５は、請求項１記載の照明用具を備えた光ファイバ融着接続装置であって、前記支持部材は概略一直線の棒状であり、前記本体にはこの棒状の支持部材の少なくとも一部を収納する収納部を更に有することを要旨とする。
【００１６】
また本発明の請求項６は、請求項５記載の照明用具を備えた光ファイバ融着接続装置であって、前記支持部材及び前記照明用具は前記風防が閉じた状態で前記風防と前記本体とが画成する空間に収納されることを要旨とする。
【００１７】
また本発明の請求項７は、請求項１記載の照明用具を備えた光ファイバ融着接続装置であって、前記支持部材は概略コ字形状であり、一端が前記本体に対して回動自在に取り付けられていることを要旨とする。
【００１８】
また本発明の請求項８は、請求項７記載の照明用具を備えた光ファイバ融着接続装置であって、前記コ字状の支持部材は前記風防が閉じられた状態において、前記風防と前記本体とが画成する空間に収納されることを要旨とする。
【００１９】
【発明の実施の形態】
以下、図１乃至図８を参照しながら本発明の実施形態を説明する。なお以下で説明する実施形態では、単心用光ファイバ融着接続装置を用いて説明するが、本発明は、多心用光ファイバ融着接続装置にも適用可能である。
【００２０】
図１は、本発明に係る、照明用具を備えた光ファイバ融着接続装置の第１実施形態を示す概略図である。
【００２１】
光ファイバ融着接続装置１は、本体１７とこの本体１７に回動部材１４を介して回動自在取付られた風防１９を具備する。本体１７は、一対の電極台１３、１３に設けられた電極棒１１、１１と、光ファイバを把持する一対の把持部材１２、１２と、光ファイバ２０の端面をつき合わせる一対のＶ溝１５、１５とを有する。Ｖ溝１５近傍及びその周辺を照らす為に、照明用具１６は照明昇降部材１８によって本体１７から鉛直方向に離れた位置に、支持部材によって支持される。
【００２２】
また、光ファイバ融着接続装置１は、上記照明用具１６のＯＮ／ＯＦＦを制御するスイッチ５０が設けられている場合もある。また図１では、制御部３０は本体１７に内蔵されているが、本体１７とは別体で設けられてもよい。
【００２３】
図２は、本発明の第１実施形態において、風防が閉じられた状態を示す側面図図である。
【００２４】
図２に示すように風防１９が閉じられた状態、即ち融着接続作業を行わない場合は、本発明の要部である照明用具１６及び昇降部材１８が、他の部材と同様、風防１９と本体１７とで画成された空間Ｓに収納される。このため、移動時において照明用具１６及び昇降部材１８が破損を防止できる。また、昇降部材１８が収納部５に収納された状態では、照明用具１６の当接面１６ａが本体１７の上面に当接する為、昇降部材１８の照明用具１６側は収納部５には収納されない。この収納されていない箇所を把持して、昇降部材１８を収納部５から引き出す。
【００２５】
図３は、本発明の第１実施形態において、風防が開かれた状態を示す側面図である。
【００２６】
昇降部材１８を昇降させるには、風防１９を開いた後手動で収納部５から引き出せばよい。図２に示した如く、昇降部材１８の上端部及びは照明用具１６は収納部５から飛び出た様態となっている。この収納部５に収納されない部位を把持して、図面矢印Ｂ方向に昇降部材１８を所望の高さまで引き出す。
【００２７】
図４は、本発明に係る、照明用具を備えた光ファイバ融着接続装置の第２実施形態を示す概略図である。
【００２８】
当該実施形態に係る融着接続装置１Ａにおいて、図３で示した融着接続装置１と同一の部材に関しては、同一の参照番号を付し説明は省略する。
【００２９】
図４に示すように、昇降部材１８Ａは、図２で示した昇降部材１８とはＶ溝１５と略反対側の位置に設けられている。昇降部材１８（１８Ａ）の位置は、作業者Ｏの位置によって決定される。作業者ＯによってＶ溝１５近傍に陰が発生しないようにするために、作業者Ｏは照明用具１６が設けられた側とは反対側から作業を行う。従って、照明用具１６及び昇降部材１８（１８Ａ）の取付位置は、図３及び図４に示した場合に限られない。また加えて、照明用具１６は複数個使用してもよい。
【００３０】
融着接続装置１（１Ａ）によれば、電極台１３上に照明用具１６が配置されていないので、電極棒１１を交換する際に、照明用具１６及びその配線が邪魔にならない。
【００３１】
また上述した融着接続装置１（１Ａ）では、電極棒１１、１１を結ぶ直線近傍上に昇降部材１８を設け、昇降部材１８によってＶ溝１５の設けられた位置から相対的に十分離れた上方に照明用具１６が配置されるようにしたので、Ｖ溝１５、１５近傍だけではなく、光ファイバ把持部材１２、１２の少なくとも一部において十分な明るさが得られる。また、上方から照明するので、光ファイバ把持部材１２や、電極台１３による陰が発生することも抑制できる。
【００３２】
図５は、本発明に係る、照明用具を備えた光ファイバ融着接続装置の制御系を示すブロック図である。
【００３３】
図５（ａ）に示す制御系３０は、電源部４１と、ＣＰＵ（中央演算処理装置）４３と、Ｉ／Ｏ制御部４５と、センサ部４２とを具備し、照明用具１６がＩ／Ｏ制御部４５を介してこの制御系３０に接続されている。
【００３４】
ＣＰＵ４３は、センサ部４２からの信号に応じてＩ／Ｏ制御部４５を介して照明用具１６のＯＮ／ＯＦＦを制御する。制御内容は任意に設定可能であり、例えば、センサ部４２で風防１９の状態を検知させ、風防１９が開かれた場合に照明用具１６を点灯させ、逆に風防１９が閉じられた場合に照明用具１６を消灯させるといった制御や、センサ部４２で昇降部材１８が所定の高さに位置した場合に照明用具１６を点灯させ、逆に昇降部材１８が収納部５に収納された場合に照明用具１６を消灯させるといった制御が可能である。
【００３５】
図５（ｂ）に示す制御系３０Ａは、電源部４１と、ＣＰＵ（中央演算処理装置）４３と、Ｉ／Ｏ制御部４５と、スイッチ５０とを具備し、照明用具１６がＩ／Ｏ制御部４５を介して制御部３０Ａに接続されている。
【００３６】
図５（ｂ）に示す制御系３０Ａを使用した場合、スイッチ５０によって所望の時に作業者Ｏは照明用具１６をＯＮ／ＯＦＦできる。例えば、図１に示した融着接続装置１では、昇降部材１８を所望の位置に配置させた後、スイッチ５０を押して、照明用具１６を点灯できる。また、昇降部材１８を収納部５に収納した後、再度スイッチ５０を押せば照明用具１６を消灯できる。
【００３７】
ここで、図１に示したように、スイッチ５０を、風防１９と本体１７とが画成する空間Ｓに設ければ、風防１９を開いた状態でないとスイッチ操作ができない。誤操作を防ぐためにも、スイッチは空間Ｓに設けることが望ましい。
【００３８】
図６は、本発明に係る、照明用具を備えた光ファイバ融着接続装置の第３実施形態を示す概略図である。また、図７は、本発明の第３実施形態において、風防が開かれた状態を示す概略図である。以下、図６及び図７を参照しながら、本発明の第３実施形態を説明する。
【００３９】
光ファイバ融着接続装置２は、それぞれ少なくとも一つの電極棒１１を備えた一対の電極台１３、１３と、電極台１３、１３の間に配置され光ファイバ２０の端面をつき合わせる一対のＶ溝１５、１５と、少なくとも一つの照明用具１６をその端部に有すと共にこの照明用具１６をＶ溝１５近傍の略真上に配置させる起倒アーム２４と、照明用具１６のＯＮ／ＯＦＦを制御する制御部３０とを有する本体１７Ｃ及び、本体１７に一対の回動部材１４、１４を介して回動自在に取り付けられた風防１９を具備する。
【００４０】
図６に示すように、風防１９を閉じた状態では、概略コ字状に形成された起倒アーム２４が、本体１７Ｃと風防１９とで画成される空間Ｓ’に収納される。
【００４１】
制御系としては、図５に示した制御部３０または制御部３０Ａが適用可能である。制御系に制御部３０を使用した場合、制御部３０は図６には図示しないセンサによって、風防１９の開閉を検知したり、起倒アーム２４の位置を検知し、この検知結果に応じて制御部３０は照明用具１６のＯＮ／ＯＦＦを制御する。
【００４２】
また制御系に制御部３０Ａを使用した場合は、センサ等の検知手段は不要であるが、手動で照明用具１６のＯＮ／ＯＦＦを行う為、別途スイッチを設ける。スイッチは、空間Ｓ’内に収納可能な位置にスイッチを設けることで、風防１９を閉じた状態での誤操作を防止できるので、上記空間Ｓ’に含まれる場所に設けることが望ましい。
【００４３】
図７に示すように、作業時は風防１９を開いた後、手動にて起倒アーム２４を起立させることで、照明用具１６がＶ溝１５、１５近傍の略真上に移動される。起倒アーム２４の形状は、図示したような概略コ字形状でもよいが、照明用具１６をＶ溝１５近傍の略真上に配置できる形状であればどのような形状であっても構わないし、空間Ｓ’に内蔵可能な形状でなくてもよい。しかし望ましくは、起倒アーム２４を空間Ｓ’内に収納できる形状にしたほうがよい。これは起倒アーム２４を空間Ｓ’内に収納可能な形状にすれば、移動時等における起倒アーム２４及び照明用具１６の破損を防止できる為である。
【００４４】
図８は、本発明に係る、照明用具を備えた光ファイバ融着接続装置の第４実施形態を示す概略図である。
【００４５】
図８に示す融着接続装置２Ａは、図６及び図７に示す光ファイバ融着接続装置２と比べて、起倒アーム２４Ａの位置がＶ溝１５を挟んだ反対側位置に回動部材２２を介して設置されていることを特徴とする。光ファイバ融着接続装置２Ａは、回動部材２２を介して本体１７Ｄに回動自在に取り付けられている以外は光ファイバ融着接続装置２同様の構成を有する。
【００４６】
融着接続装置２及び２Ａでは、起倒アーム２４（２４Ａ）の位置は、作業者Ｏの位置によって決定される。即ち、作業者Ｏの陰がＶ溝１５等に生じないように、適宜起倒アーム２４（２４Ａ）の位置を決定すればよい。
【００４７】
なお融着接続装置２Ａにおいて、起倒アーム２４は風防１９の開閉に連動して起立させてもよい。風防１９の開閉に連動させれば、風防１９を開いた後さらに手動にて起倒アーム２４を起こす必要がなくなる。
【００４８】
図７または図８に示す融着接続装置２（２Ａ）によれば、本体１７Ｃ（１７Ｄ）に起倒アーム２４（２４Ａ）を内蔵させる為の空間を別途設ける必要がないので、従来の融着接続装置に後付することも可能である。
【００４９】
また、電極台１３上に照明用具１６が配置されていないので、電極棒１１を交換する際に、照明用具１６及びその配線が邪魔にならない。
【００５０】
またＶ溝１５近傍及びその周辺の略真上に照明用具１６を配置させることができるので、これまで程強力な照明用具を使用せずとも、作業に支障のない明るさが得られる。
【００５１】
【発明の効果】
以上説明したように請求項１記載の照明用具を備えた光ファイバ融着接続装置によれば、照明用具を従来よりもＶ溝から相対的に高所に配置したので、Ｖ溝近傍及び光ファイバ把持部材が照らされる。これにより、光ファイバを精確に所望の位置に配置させ、融着接続作業が円滑に行える。
【００５２】
また請求項２記載の照明用具を備えた光ファイバ融着接続装置によれば、検知手段によって風防の開閉状態に対応して照明用具がＯＮ／ＯＦＦされるので、作業者自らが照明の制御を行わなくてよいので融着接続作業が円滑に行える。
【００５３】
また請求項３記載の照明用具を備えた光ファイバ融着接続装置によれば、検知手段によって照明用具が支持部材によって所定の位置に配置されると自動的に照明用具がＯＮ／ＯＦＦされるで、作業者自らが照明の制御を行わなくてよいので融着接続作業が円滑に行える。
【００５４】
また請求項４記載の照明用具を備えた光ファイバ融着接続装置によれば、センサ等を必要としない単純な構成で、照明用具を実現出来る。またスイッチを風防と本体とで画成される空間に設けることで、スイッチの誤操作も防げる。
【００５５】
また請求項５記載の照明用具を備えた光ファイバ融着接続装置によれば、本体に設けられた収納部に収納可能な棒状の支持部材によって照明用具を昇降させるので、省スペースでこれまでよりも高所に照明用具を配置出来るので、Ｖ溝近傍及び光ファイバ把持部材までも照らすことが可能となり、光ファイバを精確に所望の位置に配置させ、融着接続作業が円滑に行える。
【００５６】
また請求項６記載の照明用具を備えた光ファイバ融着接続装置によれば、照明用具及び支持部材を風防と本体とが画成する空間に収納するようにしたため、移動時に照明用具の破損を防止できる。
【００５７】
また請求項７記載の光ファイバ融着接続装置によれば、Ｖ溝の略真上に照明用具が配されるように起倒アームの形状を設定したので、Ｖ溝および光ファイバ把持部材まで照らすことが可能となり、光ファイバを精確に所望の位置に配置させ、融着接続作業が円滑に行える。
【００５８】
また請求項８記載の照明用具を備えた光ファイバ融着接続装置によれば、照明用具及び支持部材を風防と本体とが画成する空間に収納するようにしたため、移動時に照明用具の破損を防止できる。また、本体に別途収納空間を設ける必要がないので、照明用具及び支持部材を容易に取り付けることが可能である。
【図面の簡単な説明】
【図１】本発明に係る、照明用具を備えた光ファイバ融着接続装置の第１実施形態を示す概略図。
【図２】本発明の第１実施形態において、風防が閉じられた状態を示す側面図。
【図３】本発明の第１実施形態において、風防が開かれた状態を示す側面図。
【図４】本発明に係る、照明用具を備えた光ファイバ融着接続装置の第２実施形態を示す概略図。
【図５】本発明に係る、照明用具を備えた光ファイバ融着接続装置の制御系を示すブロック図。
【図６】本発明に係る、照明用具を備えた光ファイバ融着接続装置の第３実施形態を示す概略図。
【図７】本発明の第３実施形態において、風防が開かれた状態を示す概略図。
【図８】本発明に係る、照明用具を備えた光ファイバ融着接続装置の第４実施形態を示す概略図。
【図９】照明用具を備えた光ファイバ融着接続装置の従来例。
【符号の説明】
１…光ファイバ融着接続装置
５…収納部
１１…電極
１２…光ファイバ把持部材
１３…電極台
１４…回動部材
１５…Ｖ溝
１６…照明用具
１７…本体
１８…昇降部材
１９…風防
２０…光ファイバ
２４…照明用具回動部材
１００…光ファイバ融着接続装置
１１０…電極
１３０…電極台
１４０…回動部材
１５０…Ｖ溝
１６０…照明用具
１７０…本体
１９０…風防
２００…光ファイバ
【図１】
2004279929.tif 000003
【図２】
2004279929.tif 000004
【図３】
2004279929.tif 000005
【図４】
2004279929.tif 000006
【図５】
2004279929.tif 000007
【図６】
2004279929.tif 000008
【図７】
2004279929.tif 000009
【図８】
2004279929.tif 000010
【図９】
2004279929.tif 000011